(57)【要約】【課題】外プレートの外側面側から供給された潤滑油をピン外周面上に確実に供給し、しかも、チェーンの軽量化、チェーン駆動時における空気抵抗の低減、チェーンガイドの小型化を実現する伝動用チェーンを提供すること。【解決手段】内プレート１１０とローラ１２０とブシュ１３０と外プレート１５０と円筒状連結ピン１６０とを備え、円筒状連結ピン１６０が、外プレート１５０の外側面側からピン孔の内縁を座ぐりしてなるかしめ用座ぐり部１５１内でかしめられるピン両端のピン締鋲部１６１と、円筒状連結ピン１６０のピン周壁を貫通形成してピン内周面側からピン外周面側へ潤滑油を流通させる油連通孔１６２とを有している伝動用チェーン１００。【選択図】図４
2010276034.tif 000002
【特許請求の範囲】
【請求項１】
前後一対のブシュの両端を左右一対の内プレートのブシュ孔に圧入嵌合してなる内リンクと前記ブシュ内にそれぞれ挿通する前後一対の円筒状連結ピンのピン両端を左右一対の外プレートのピン孔に装着するとともに外プレートの外側面側でかしめて締鋲してなる外リンクとがチェーン長手方向に交互に連結されて、前記外プレートの外側面側からピン内周面側へ供給された潤滑油をピン内周面側からピン外周面側へ補給する伝動用チェーンにおいて、
前記円筒状連結ピンが、前記外プレートの外側面側からピン孔の内縁を座ぐりしてなるかしめ用座ぐり部内でかしめられるピン両端のピン締鋲部と、前記円筒状連結ピンのピン周壁を貫通形成して前記ピン内周面側からピン外周面側へ潤滑油を流通させる油連通孔とを有していることを特徴とする伝動用チェーン。
【請求項２】
前記円筒状連結ピンのピン締鋲部が、前記外プレートの外側面側から内側面側に向けて縮径するテーパ状の少なくとも内周面を有していることを特徴とする請求項１に記載の伝動用チェーン。
【請求項３】
前記外プレートのかしめ用座ぐり部が、前記外プレートの外側面側から内側面側に向けて縮径するテーパ状の内周面を有していることを特徴とする請求項１または請求項２に記載の伝動用チェーン。
【請求項４】
前記円筒状連結ピンのピン締鋲部が、前記外プレートの外側面側からピン内周面側へ潤滑油を案内誘導する油流入溝を内周面に有していることを特徴とする請求項１乃至請求項３のいずれかに記載の伝動用チェーン。
【発明の詳細な説明】
【技術分野】
【０００１】
本発明は、産業用機械等の動力伝達機構のチェーン伝動装置に使用される伝動用チェーンに関し、特に、油雰囲気内で用いられる伝動用チェーンに関する。
【背景技術】
【０００２】
一般に、自動車、産業用機械等の動力伝達機構には、駆動側スプロケットと従動側スプロケットに掛架された伝動用チェーンにより動力を伝達する伝動装置が備えられている。
【０００３】
例えば、自動車のエンジンには、クランクスプロケット（駆動側スプロケット）とカムスプロケット（従動側スプロケット）に掛架された伝動用チェーンにより動力を伝達するタイミングドライブシステムが備えられている。
【０００４】
従来、一対のピン孔が形成された複数のリンクプレートをチェーン長手方向にずらしてこの一対のピン孔にそれぞれ挿入された連結ピンにより屈曲自在に連結されてなるローラチェーンまたはブシュチェーン等の伝動用チェーンとして、図１０に示すように、前後一対のブシュ５３０の両端を左右一対の内プレート５１０のブシュ孔に圧入嵌合してなる内リンク５４０とブシュ５３０内にそれぞれ貫通する前後一対の連結ピン５６０の両端を左右一対の外プレート５５０のピン孔に締結してなる外リンク５７０とがチェーン長手方向に交互に連結されるローラチェーン５００が知られている（例えば、特許文献１参照。）。
【０００５】
このようなローラチェーン５００では、外プレート５５０のピン孔に対する連結ピン５６０の締結手段として、図１１に示すように、連結ピン５６０を外プレート５５０のピン孔に装着して、外プレート５５０の外側面側に一部突出した連結ピン５６０のピン両端を締鋲ダイスＤ等の工具を用いて叩き潰すかしめ工法が一般に知られている。
【０００６】
また、このような伝動用チェーンの連結ピンとして、円筒状に形成された中空ピンが用いられることが知られている（例えば特許文献２参照。）。
【先行技術文献】
【特許文献】
【０００７】
【特許文献１】特開２００３−１７６８５３号公報（特許請求の範囲、図１）
【特許文献２】特開２００７−５７３７７号公報（特許請求の範囲、図４）
【発明の概要】
【発明が解決しようとする課題】
【０００８】
ところが、前述したような従来のローラチェーン５００では、図１０及び図１１に示すように、連結ピン５６０のピン両端が外プレート５５０の外側面側から一部突出しているため、ローラチェーン５００の走行を案内するチェーンガイドＧと連結ピン５６０のピン両端との干渉を回避するために、チェーンガイドＧのチェーン幅方向のサイズを大きくする、もしくは、図１２に示すような段部Ｇ´等をチェーンガイドＧに形成する必要があるという問題があった。
【０００９】
また、前述したようにピン両端が外プレート５５０から一部突出しているため、チェーン駆動時における空気抵抗が増大して風切り音が発生してしまう問題があった。
【００１０】
また、ローラチェーン５００に対して引張力が作用した際、図１３に示すように、連結ピン５６０のピン外周面とブシュ５３０のブシュ内周面との摺動領域Ｓ付近の間隙が狭くなるため、この摺動領域Ｓに油膜が形成されにくく、ピン外周面およびブシュ内周面に焼付きや摩耗損傷が生じ易くなるという問題があった。
【００１１】
そこで、本発明は、従来の問題を解決するものであって、すなわち、本発明の目的は、外プレートの外側面側から供給された潤滑油をピン外周面上に確実に供給し、しかも、チェーンの軽量化、チェーン駆動時における空気抵抗の低減、チェーンガイドの小型化を実現する伝動用チェーンを提供することである。
【課題を解決するための手段】
【００１２】
請求項１に係る本発明は、前後一対のブシュの両端を左右一対の内プレートのブシュ孔に圧入嵌合してなる内リンクと前記ブシュ内にそれぞれ挿通する前後一対の円筒状連結ピンのピン両端を左右一対の外プレートのピン孔に装着するとともに外プレートの外側面側でかしめて締鋲してなる外リンクとがチェーン長手方向に交互に連結されて、前記外プレートの外側面側からピン内周面側へ供給された潤滑油をピン内周面側からピン外周面側へ補給する伝動用チェーンにおいて、前記円筒状連結ピンが、前記外プレートの外側面側からピン孔の内縁を座ぐりしてなるかしめ用座ぐり部内でかしめられるピン両端のピン締鋲部と、前記円筒状連結ピンのピン周壁を貫通形成して前記ピン内周面側からピン外周面側へ潤滑油を流通させる油連通孔とを有していることにより、前述した課題を解決したものである。
【００１３】
請求項２に係る本発明は、請求項１に記載の構成に加えて、前記円筒状連結ピンのピン締鋲部が、前記外プレートの外側面側から内側面側に向けて縮径するテーパ状の少なくとも内周面を有していることにより、前述した課題を解決したものである。
【００１４】
請求項３に係る本発明は、請求項１または請求項２に記載の構成に加えて、前記外プレートのかしめ用座ぐり部が、前記外プレートの外側面側から内側面側に向けて縮径するテーパ状の内周面を有していることにより、前述した課題を解決したものである。
【００１５】
請求項４に係る本発明は、請求項１乃至請求項３のいずれかに記載の構成に加えて、前記円筒状連結ピンのピン締鋲部が、前記外プレートの外側面側からピン内周面側へ潤滑油を案内誘導する油流入溝を内周面に有していることにより、前述した課題をさらに解決したものである。
【発明の効果】
【００１６】
そこで、本発明は、前後一対のブシュの両端を左右一対の内プレートのブシュ孔に圧入嵌合してなる内リンクと前記ブシュ内にそれぞれ挿通する前後一対の円筒状連結ピンのピン両端を左右一対の外プレートのピン孔に装着するとともに外プレートの外側面側でかしめて締鋲してなる外リンクとがチェーン長手方向に交互に連結されて、外プレートの外側面側からピン内周面側へ供給された潤滑油をピン内周面側からピン外周面側へ補給することで、円筒状連結ピンとブシュとの間における円滑な摺動を実現するばかりでなく、以下のような特有の効果を奏することができる。
【００１７】
すなわち、請求項１に係る本発明の伝動用チェーンによれば、円筒状連結ピンが、外プレートの外側面側からピン孔の内縁を座ぐりしてなるかしめ用座ぐり部内でかしめられるピン両端のピン締鋲部を有していることにより、チェーン組み付け後に円筒状連結ピンのピン両端が外プレートの外側面から突出しない、すなわち、円筒状連結ピンのピン両端が外プレートの外側面よりチェーン幅方向内側に位置するため、外プレートの外側面側から供給される潤滑油が外プレートの外側面及びかしめ用座ぐり部の内周面に沿って円筒状連結ピンの内部に円滑に流入し易くなり、後述する油連通孔を介してより多くの潤滑油をピン外周面とブシュ内周面との間に補給でき、チェーン摩耗伸びを確実に阻止できる。
【００１８】
また、円筒状連結ピンのピン両端が外プレートの外側面側から一部突出することを回避しているため、ピン両端が外プレートから一部突出していない分だけ円筒状連結ピンの重量を軽減して、チェーンの軽量化を実現でき、例えば、本発明の伝動チェーンを自動車エンジン内に設置されるタイミングドライブシステムに用いた場合、自動車エンジンの駆動騒音を抑制して、自動車の快適性、所謂、ＮＶＨ性能を向上できる。
【００１９】
また、チェーン駆動時における空気抵抗を低減するため、ピン両端が外プレートから一部突出している場合に発生しがちな風切り音を抑制できる。
【００２０】
また、ピン両端が外プレートから一部突出していない分だけ円筒状連結ピンの全長が短くなって、チェーン幅が縮小するため、チェーン駆動を誘導案内するチェーンガイドを小型化でき、特に、本発明の伝動チェーンを自動車エンジン内に設置されるタイミングドライブシステムに用いた場合、テンショナレバーやガイドレバー等のチェーンガイドのサイズを小型化できる。
【００２１】
また、円筒状連結ピンのピン周壁に貫通形成した油連通孔を有していることにより、この油連通孔を介して潤滑油が円筒状連結ピンのピン内周側からピン外周側へ流通するため、ピン外周面に潤滑油が充分に供給されてない状態となった場合であっても、ピン外周面における確実な油膜形成を達成できる。
【００２２】
特に、本発明の伝動用チェーンを油雰囲気内で使用する場合、円筒状連結ピンの両端開口部から円筒状連結ピン内に流入した潤滑油が油連通孔を介して円筒状連結ピンのピン外周面に供給されるため、給油用タンク等の特段な給油手段の設置や外部からの給油を必要とすることなく、チェーン稼動時におけるピン外周面とブシュ内周面との間への潤滑油の供給を達成でき、ピン外周面とブシュ内周面との間における焼付きや摩耗損傷を確実に抑制できる。
【００２３】
請求項２に係る本発明の伝動用チェーンによれば、請求項１に記載の伝動用チェーンが奏する効果に加えて、円筒状連結ピンのピン締鋲部が、外プレートの外側面側から内側面側に向けて縮径するテーパ状の少なくとも内周面を有していることにより、外プレートの外側面側に向けて開口する円筒状連結ピンの両端開口部の開口広さを確保するとともに、ピン締鋲部の内周面が潤滑油を円筒状連結ピンの内部に向けて円滑に誘導するため、より多くの潤滑油をピン外周面とブシュ内周面との間に補給できる。
【００２４】
請求項３に係る本発明の伝動用チェーンによれば、請求項１または請求項２に記載の伝動用チェーンが奏する効果に加えて、外プレートのかしめ用座ぐり部が、外プレートの外側面側から内側面側に向けて縮径するテーパ状の内周面を有していることにより、かしめ用座ぐり部の内側面がかしめ用座ぐり部からのピン締鋲部の抜けを阻止するため、外プレートに対する円筒状連結ピンの締結状態を強固に維持できる。
【００２５】
また、ピン両端をかしめ用座ぐり部内でかしめる際に、かしめ用座ぐり部の内周面に沿ってピン両端を均等に押し広げることが可能であるため、ピン両端の強度低下を回避できる。
【００２６】
請求項４に係る本発明の伝動用チェーンによれば、請求項１乃至請求項３のいずれかに記載の伝動用チェーンが奏する効果に加えて、円筒状連結ピンのピン締鋲部が油流入溝を内周面に有していることにより、この油流入溝が外プレートの外側面側から円筒状連結ピンの内部へ潤滑油を案内誘導するため、円筒状連結ピンの内部を介して潤滑油をピン外周面側に安定して供給できる。
【図面の簡単な説明】
【００２７】
【図１】本発明の第１実施例である伝動チェーンを用いた使用態様図。
【図２】図１に示す伝動用チェーンの一部を切り欠いた全体概要図。
【図３】図１に示す伝動用チェーンの断面図。
【図４】円筒状連結ピンのピン端部を中心として断面視して示す斜視図。
【図５】外プレートに対する円筒状連結ピンのかしめ方法を示す説明図。
【図６】図１に示す伝動用チェーンに用いられる円筒状連結ピンを示す斜視図。
【図７】円筒状連結ピンとブシュとの摺動状態を示す断面図。
【図８】伝動用チェーンとチェーンガイドとの摺接状態を示す説明図。
【図９】本発明の第２実施例である伝動チェーンを構成する円筒状連結ピンのかしめ方法を示す説明図。
【図１０】従来のローラチェーンを示す断面図。
【図１１】従来のローラチェーンでの円筒状連結ピンのかしめ方法を示す説明図。
【図１２】従来のローラチェーンとチェーンガイドとの摺接状態を示す説明図。
【図１３】従来のローラチェーンでの連結ピンとブシュの摺動状態を示す断面図。
【発明を実施するための形態】
【００２８】
本発明の伝動用チェーンは、前後一対のブシュの両端を左右一対の内プレートのブシュ孔に圧入嵌合してなる内リンクと前記ブシュ内にそれぞれ挿通する前後一対の円筒状連結ピンのピン両端を左右一対の外プレートのピン孔に装着するとともに外プレートの外側面側でかしめて締鋲してなる外リンクとがチェーン長手方向に交互に連結されて、外プレートの外側面側からピン内周面側へ供給された潤滑油をピン内周面側からピン外周面側へ補給し、円筒状連結ピンが、外プレートの外側面側からピン孔の内縁を座ぐりしてなるかしめ用座ぐり部内でかしめられるピン両端のピン締鋲部と、円筒状連結ピンのピン周壁を貫通形成してピン内周面側からピン外周面側へ潤滑油を流通させる油連通孔とを有して、外プレートの外側面側から供給された潤滑油をピン外周面上に確実に供給し、しかも、チェーンの軽量化、チェーン駆動時における空気抵抗の低減、チェーンガイドの小型化を実現するものであれば、その具体的な実施の形態は如何なるものであっても何ら構わない。
【００２９】
例えば、本発明の伝動用チェーンは、ローラチェーン、ブシュチェーンのいずれのものがその対象であっても差し支えない。
【００３０】
なお、本発明の伝動用チェーンに組み込まれた円筒状連結ピンに形成される油連通孔の具体的な形態については、円筒状連結ピンのピン内周面側からピン外周面側に向けて潤滑油を流通させるものであれば、断面円形状に形成されてピン長手方向の中央に１つ設けられたもの、断面半円状に形成されてピン長手方向の３つ設けられたもの等、如何なる形態を呈していても良い。
【００３１】
なお、本発明の伝動用チェーンに組み込まれた円筒状連結ピンに形成される油誘導溝の具体的な形態については、油連通孔から流通した潤滑油をピン外周面上でピン長手方向に亘って案内誘導するものであれば、ピン長手方向に亘って延在する直線的な帯状のもの、ピン長手方向に亘って延在する波線状に曲げられた帯状のもの等、如何なる形態を呈していても良い。
【実施例】
【００３２】
以下、本発明の第一実施例である伝動用チェーン１００を図面に基づいて説明する。
ここで、図１は、本発明の第１実施例である伝動チェーンを組み込んだタイミングドライブシステムを示す平面図であり、図２は、図１に示す伝動用チェーンの一部を切り欠いて断面視した全体概要図であり、図３は、図１に示す伝動用チェーンの断面図であり、図４は、外プレートに対する円筒状連結ピンのかしめ状態を断面視して示す斜視図であり、
図５は、外プレートの外側面側における円筒状連結ピンのかしめ方法を示す説明図であり、図６は、チェーン組み付け前の円筒状連結ピンを示す斜視図であり、図７は、円筒状連結ピンとブシュとの摺動状態を示す断面図であり、図８は、伝動用チェーンとチェーンガイドの摺接状態を示す説明図である。
【００３３】
まず、本発明の第一実施例である伝動用チェーン１００は、図１に示すように、自動車用エンジン内のタイミングシステムに用いられるタイミングチェーンであり、図２及び図３に示すように、左右一対で離間して配置された内プレート１１０のブシュ孔にローラ１２０を外嵌した前後一対のブシュ１３０の両端を圧入嵌合する内リンク１４０と、左右一対で離間して配置された外プレート１５０のピン孔に前後一対の円筒状連結ピン１６０の両端を装着する外リンク１７０とを備えている。
【００３４】
また、内リンク１４０と外リンク１７０とは、ブシュ１３０内に円筒状連結ピン１６０を遊嵌することにより連結されている。
【００３５】
また、図１に示す符号Ｇ１は、チェーン駆動時に伝動用チェーン１００の走行をガイドするテンショナレバーであり、図１に示す符号Ｇ２は、チェーン駆動時に伝動用チェーン１００の走行をガイドするガイドレバーである。
【００３６】
そこで、本実施例の伝動用チェーン１００が最も特徴とする円筒状連結ピン１６０及び外プレート１５０の具体的な形態について図２乃至図８により詳しく説明する。
まず、円筒状連結ピン１６０は、図２乃至図４に示すように、外プレート１５０の外側面側からピン孔の内縁を座ぐりしてなるかしめ用座ぐり部１５１内でかしめられるピン両端のピン締鋲部１６１を有しており、このピン両端のピン締鋲部１６１は、図５に示すように、外プレート１５０のピン孔に装着されて外プレート１５０の外側面側から一部突出した円筒状連結ピン１６０を円錐状の頭部Ｐ１を有する締鋲パンチＰで外プレートのかしめ用座ぐり部１５１内で叩き潰すことでかしめられている。
【００３７】
また、円筒状連結ピン１６０のピン締鋲部１６１は、図２乃至図５に示すように、外プレート１５０の外側面側から内側面側に向けて縮径するテーパ状の内周面及び外周面を有している。
【００３８】
また、外プレート１５０のかしめ用座ぐり部１５１は、図２乃至図５に示すように、外プレート１５０の外側面側から内側面側に向けて縮径するテーパ状の内周面を有している。
【００３９】
また、円筒状連結ピン１６０には、図２乃至図４、及び図６に示すように、油連通孔１６２が円筒状連結ピン１６０の周壁に貫通形成されおり、この油連通孔１６２は、円筒状連結ピン１６０の両端開口部からピン内周面側に流入したエンジン内の油をピン外周面側に流通させるようになっている。
【００４０】
円筒状連結ピン１６０のピン外周面には、図２乃至図４、及び図６に示すように、前述した油連通孔１６２から流通した潤滑油を案内誘導する油誘導溝１６３が、油連通孔１６２に連通した状態でピン長手方向に亘って凹設されている。
【００４１】
油連通孔１６２と油誘導溝１６３とは、図７に示すように、チェーン引張時における円筒状連結ピン１６０のピン外周面とブシュ１３０のブシュ内周面との間における摺動領域Ｓに設けられており、チェーン引張時に間隙が狭くなり油膜が形成されにくいピン外周面とブシュ内周面との摺動領域Ｓへ潤滑油を直接的に供給するようになっている。
【００４２】
油連通孔１６２は、図２乃至図４、及び図６に示すように、内リンク１４０の内側に位置しており、すなわち、円筒状連結ピン１６０のピン長手方向中央に形成されており、ブシュ１３０を内プレート１１０のブシュ孔に圧入嵌合する際に変形を生じがちなブシュ１３０の両端近傍部分と油連通孔１６２との間の摺動を回避するようになっている。
【００４３】
円筒状連結ピン１６０は、ピン両端にそれぞれ形成された段差部とこの段差部の長手方向中央にそれぞれ形成された半円筒状の切り欠き部とを有する板材を円筒状に曲げ加工することで成形されており、このような板材の曲げ加工の結果、前述した各段差部が相互に繋げられて油誘導溝１６３を形成し、前述した各切り欠き部が相互に繋げられて油連通孔１６２を形成している。
【００４４】
なお、油連通孔１６２は、円筒状連結ピン１６０のピン内周面側からピン外周面側に向けて潤滑油を流通させるものであれば如何なる形態を呈していても良く、本実施例の伝動用チェーン１００では、図２乃至図４、及び図６に示すように、断面円形状に形成されてピン長手方向の中央に１つ設けられているが、例えば、断面三角形状に形成されてピン長手方向の中央に１つ設けられていても良く、また、断面半円状に形成されてピン長手方向に３つ設けられていても良い。
【００４５】
また、油誘導溝１６３は、油連通孔１６２から流通した潤滑油をピン外周面上でピン長手方向に亘って案内誘導するものであれば如何なる形態を呈していても良く、本実施例の伝動用チェーン１００では、図２乃至図４、及び図６に示すように、ピン長手方向に亘って延在する直線的な帯状に形成されているが、ピン長手方向に亘って延在する波線状に曲げられた帯状に形成されていても良く、また、ピン長手方向中央で折れ曲げられた帯状に形成されていても良い。
【００４６】
このようにして得られた本実施例の伝動用チェーン１００は、円筒状連結ピン１６０が、外プレート１５０の外側面側からピン孔の内縁を座ぐりしてなるかしめ用座ぐり部１５１内でかしめられるピン両端のピン締鋲部１６１を有している。
したがって、チェーン組み付け後に円筒状連結ピン１６０のピン両端が外プレート１５０の外側面から一部突出しない、すなわち、円筒状連結ピン１６０のピン両端が外プレート１５０の外側面よりチェーン幅方向内側に位置するため、外プレート１５０の外側面側から供給される潤滑油が外プレート１５０の外側面及びかしめ用座ぐり部１５１の内周面に沿って円筒状連結ピン１６０の内部に円滑に流入し易くなり、後述する油連通孔１６２を介してより多くの潤滑油をピン外周面とブシュ１３０内周面との間に補給でき、チェーン摩耗伸びを確実に阻止できる。
【００４７】
また、円筒状連結ピン１６０のピン両端が外プレート１５０の外側面側から一部突出することを回避しているため、ピン両端が外プレート１５０から一部突出していない分だけ円筒状連結ピン１６０の重量を軽減して、チェーンの軽量化を実現でき、自動車エンジンの駆動騒音を抑制して、自動車の快適性、所謂、ＮＶＨ性能を向上できる。
【００４８】
また、チェーン駆動時における空気抵抗を低減するため、ピン両端が外プレート１５０から一部突出している場合に発生しがちな風切り音を抑制できる。
【００４９】
また、ピン両端が外プレート１５０から一部突出していない分だけ円筒状連結ピン１６０の全長が短くなって、チェーン幅が縮小するため、図８に示すように、チェーン駆動を誘導案内するテンショナレバーＧ１やガイドレバーＧ２等のチェーンガイドＧのサイズを小型化できる。
【００５０】
また、油連通孔１６２が、円筒状連結ピン１６０のピン周壁に貫通形成されている。
したがって、円筒状連結ピン１６０の両端開口部から円筒状連結ピン１６０内に流入したエンジン内の潤滑油が油連通孔１６２を介して円筒状連結ピン１６０のピン外周面に供給されるため、給油用タンク等の特段な給油手段の設置や外部からの給油を必要とすることなく、チェーン稼動時におけるピン外周面とブシュ内周面との間への潤滑油の供給を達成でき、ピン外周面とブシュ内周面との間における焼付きや摩耗損傷を確実に抑制できる。
【００５１】
また、円筒状連結ピン１６０のピン締鋲部１６１が、外プレート１５０の外側面側から内側面側に向けて縮径するテーパ状の少なくとも内周面を有している。
したがって、外プレート１５０の外側面側に向けて開口する円筒状連結ピン１６０の両端開口部の開口広さを確保するとともに、ピン締鋲部１６１の内周面が潤滑油を円筒状連結ピン１６０の内部に向けて円滑に誘導するため、より多くの潤滑油をピン外周面とブシュ１３０内周面との間に補給できる。
【００５２】
また、外プレート１５０のかしめ用座ぐり部１５１が、外プレート１５０の外側面側から内側面側に向けて縮径するテーパ状の内周面を有している。
したがって、かしめ用座ぐり部１５１の内側面が、かしめ用座ぐり部１５１からのピン締鋲部１６１の抜けを阻止するため、外プレート１５０に対する円筒状連結ピン１６０の締結状態を強固に維持できる。
【００５３】
また、ピン両端をかしめ用座ぐり部１５１内でかしめる際に、かしめ用座ぐり部１５１の内周面に沿ってピン両端を均等に押し広げることが可能であるため、ピン両端の強度低下を回避できる。
【００５４】
また、油連通孔１６２に連通する油誘導溝１６３が、円筒状連結ピンのピン外周面上にピン長手方向に亘って凹設されている。
したがって、油連通孔１６２からピン外周面側に流通した潤滑油が油誘導溝１６３を介してピン長手方向全域に案内誘導されるため、ピン長手方向全域に亘ってピン外周面上に油膜を形成できる。
【００５５】
また、油誘導溝１６３が、ブシュ１３０と円筒状連結ピン１６０との間における伝動用チェーン１００引張時の摺動領域Ｓに設けられている。
したがって、チェーン引張時に間隙が狭くなり油膜が形成されにくいブシュ１３０と円筒状連結ピン１６０との間の摺動領域Ｓへ潤滑油を直接的に供給するため、潤滑油を効率的に供給してブシュ１３０と円筒状連結ピン１６０との間における摩耗損傷や焼付きを確実に阻止できる。
【００５６】
また、油連通孔１６２が、内リンク１４０の内側に位置している。
したがって、ブシュ１３０を内プレート１１０のブシュ孔に圧入嵌合する際に変形を生じがちなブシュ１３０の両端近傍部分と円筒状連結ピン１６０に形成された油連通孔１６２との間の摺動を回避するため、ピン外周面とブシュ内周面との間における面圧が局部的に増大することを防止できる。
【００５７】
そして、油連通孔１６２と油誘導溝１６３とが、円筒状連結ピン１６０の成形時に板材を円筒状に曲げ加工することで形成される継ぎ目部分に設けられている。
したがって、油連通孔１６２を介してピン外周面側へ流通する潤滑油に加えて、板材の継ぎ目部分に不可避的に形成される微小な孔に起因して生じる毛細管現象を介してピン内周面側からピン外周面側へ流通する潤滑油が油誘導溝１６３に滲出供給されるため、長期に亘ってピン外周面上に油膜を形成できるなど、その効果は甚大である。
【００５８】
つぎに、本発明の第２実施例である伝動用チェーン２００について、図９に基づいて説明する。
ここで、本発明の第２実施例である伝動用チェーン２００における円筒状連結ピン２６０以外の構成は、前述した第１実施例の伝動用チェーン１００と全く同じであるため、第１実施例の伝動用チェーン１００に関する明細書、および、図１乃至図８に示す１００番台の符号を２００番台の符号に読み替えることによって、円筒状連結ピン２６０以外の構成についてはその説明を省略する。
【００５９】
そこで、本実施例の伝動用チェーン２００が最も特徴とする円筒状連結ピン２６０の具体的な形態について図９により詳しく説明する。
【００６０】
まず、円筒状連結ピン２６０のピン締鋲部２６１は、図９に示すように、外プレート２５０の外側面側からピン内周面側へ潤滑油を案内誘導する油流入溝２６４を内周面に有しており、この油流入溝２６４は、図９に示すように、円錐状の頭部Ｐ１の外周面上に溝形成用突出部Ｐ２を有する締鋲パンチＰを用いて、外プレート２５０の外側面側から一部突出した円筒状連結ピン２６０を外プレート２５０のかしめ用座ぐり部２５１内でかしめることで形成されている。
【００６１】
このようにして得られた本実施例の伝動用チェーン２００は、円筒状連結ピン１６０のピン締鋲部２６１が、油流入溝２６４を内周面に有している。
したがって、この油流入溝２６４が外プレート２５０の外側面側から円筒状連結ピン２６０の内部へ潤滑油を案内誘導するため、円筒状連結ピン２６０の内部を介して潤滑油をピン外周面側に安定して供給できるなど、その効果は甚大である。
【符号の説明】
【００６２】
１００、２００  ・・・  伝動用チェーン
１１０、２１０  ・・・  内プレート
１２０、２２０  ・・・  ローラ
１３０、２３０  ・・・  ブシュ
１４０、２４０  ・・・  内リンク
１５０、２５０  ・・・  外プレート
１５１、２５１  ・・・  かしめ用座ぐり部
１６０、２６０  ・・・  円筒状連結ピン
１６１、２６１  ・・・  ピン締鋲部
１６２、２６２  ・・・  油連通孔
１６３、２６３  ・・・  油誘導溝
２６４  ・・・  油流入溝
１７０、２７０  ・・・  外リンク
【図１】
2010276034.tif 000003
【図２】
2010276034.tif 000004
【図３】
2010276034.tif 000005
【図４】
2010276034.tif 000006
【図５】
2010276034.tif 000007
【図６】
2010276034.tif 000008
【図７】
2010276034.tif 000009
【図８】
2010276034.tif 000010
【図９】
2010276034.tif 000011
【図１０】
2010276034.tif 000012
【図１１】
2010276034.tif 000013
【図１２】
2010276034.tif 000014
【図１３】
2010276034.tif 000015